(57)【要約】【課題】本発明は、手縫い縫製を容易にする布地片及び布地片を用いる手縫い縫製の方法を提供する。【解決手段】手縫い縫製のための布地片、及び、この布地片を用いて縫製を実施する方法であって、布地片（１）は、同一又は異なる色、模様、及び／又は、質感を有し、特定のパッチワーク図案（３）を形成するための図柄（２）を設けた布地片（１）から成り、各図柄（２）には、その輪郭を画定する縫い目線（４）と、状況に応じてミシン目が予め設けられた外周縁を画定する切断線（５）とが設けられる。縫製方法は、布地片（１）を取得するステップ、図柄（２）を切断線（５）に沿って切り取るステップ、及び、図柄（２）を互いに縫い付けるステップのみを備える。状況に応じて、パッチワーク図案（３）が選択され、所望の図柄（２）と色、プリント及び／又は質感とを有する布地片（１）が発注される。
2018525540.tif 000002
【特許請求の範囲】
【請求項１】
手縫いによる縫製用、特にキルト、毛布、絨毯、カーペット、更には、衣類品やアクセサリー品などの物品のためのパッチワーク縫製用の布地片であって、
同一又は異なる、色、模様のタイプ及び／又は質感を有し、特定のパッチワーク図案（３）を作製するために必要な、同一又は異なる形状を有する複数の図柄（２）を組み入れた布地片（１）から成り、
前記図柄（２）のそれぞれには、その輪郭を画定する縫い目線（４）と、前記輪郭の周囲の外周縁を画定する切断線（５）とが付けられることを特徴とする手縫い縫製用の布地片。
【請求項２】
前記図柄（２）及び／又は該図柄の前記縫い目線（４）及び／又は前記切断線（５）は、布に印刷又は刻印技術によって前記布地片（１）に設けられることを特徴とする請求項１に記載の手縫い縫製用の布地片。
【請求項３】
前記図柄（２）及び／又は該図柄の前記縫い目線（４）及び／又は前記切断線（５）は、布に印刷法又は刻印法、刺繍法又は塗装法の異なる技術の混合法によって前記布地片（１）に設けられることを特徴とする請求項１に記載の手縫い縫製用の布地片。
【請求項４】
前記図柄（２）のそれぞれの前記切断線（５）は、これらの図柄が容易に破断する幾つかの点のみによって前記布地片（１）に結合されるようにミシン目が予め設けられることを特徴とする請求項１から３のいずれか一項に記載の手縫い縫製用の布地片。
【請求項５】
前記図柄（２）のそれぞれの輪郭を画定する前記縫い目線（４）は、その経路全体に沿って延びる凹部（６）を有し、該凹部（６）は、レーザの適用によって実施され、前記布地片（１）を構成する布地の他の部分の厚さに対する前記縫い目線（４）における布地の厚さ（ｇ）を減少させたことを特徴とする請求項１から３のいずれか一項に記載の手縫い縫製用の布地片。
【請求項６】
前記縫い目線（４）における前記凹部（６）は、前記縫い目線（４）それ自体と同じ幅を有することを特徴とする請求項５に記載の手縫い縫製用の布地片。
【請求項７】
前記縫い目線（４）における前記凹部（６）は、前記縫い目線（４）それ自体よりも大きい幅を有することを特徴とする請求項５に記載の手縫い縫製用の布地片。
【請求項８】
前記図柄（２）の湾曲した円弧部には、前記切断線（５）と前記縫い目線（４）との間にある前記外周縁に穿孔（７）が、更に設けられていることを特徴とする請求項１から３のいずれか一項に記載の手縫い縫製用の布地片。
【請求項９】
前記切断線（５）と前記縫い目線（４）との間の前記外周縁の前記穿孔（７）は、１つ以上の楔の形状を有することを特徴とする請求項８に記載の手縫い縫製用の布地片。
【請求項１０】
請求項１から９のいずれか一項に記載の布地片を用いて、手縫い縫製、特にパッチワーク又はキルティング縫製を行う方法において、
−所望のパッチワーク図案の図柄（２）が既に組み入れられた布地片（１）を取得するステップと、
−前記図柄（２）をそのそれぞれの切断線（５）に沿って切り取るステップと、
−前記図柄（２）の全てを前記縫い目線（４）に沿って互いに縫い付けて前記パッチワーク図案（３）を形成するステップと、
を備えることを特徴とする手縫い縫製を行う方法。
【請求項１１】
前記切断線（５）にミシン目が予め設けられているときに、前記切り取りがハサミを使用することなく引き裂きによって行なわれることを特徴とする請求項１０に記載の手縫い縫製を行う方法。
【請求項１２】
前記パッチワーク図案（３）を選択するステップと、
前記図案を構成する図柄（２）及び望まれる前記図柄（２）のそれぞれの色、模様及び／又は質感を有する布地片（１）の作製を発注するステップと、
を先行ステップとして、更に有することを特徴とする請求項１０又は１１に記載の手縫い縫製を行う方法。
【発明の詳細な説明】
【技術分野】
【０００１】
本発明は、本明細書の表題に記載されるように、手縫い縫製用の布地片、及びこの布地片を用いて上記縫製を行う方法に関し、以下に詳しく記載され、現在の最新技術において顕著な新規性を含む幾つかの利点及び特徴を有する。
【０００２】
本発明の目的は、具体的には、手縫いによる縫製、特に「パッチワーク」又は「キルト」としても知られている縫製を実行するための布地片に基づくとともに、いろいろな布地の断片を継ぎ合わせることによるモザイク、図柄、又は図案の形成に基づき、本発明の布地片は、特に上記縫製を容易にするように設計される。
【０００３】
本発明の適用分野は、手縫いによる縫製の実行のための物品を製造する産業分野に属し、特に縫製の分野、より具体的にはパッチワーク縫製の分野に焦点を合わせる。
【背景技術】
【０００４】
周知のように、パッチワーク（又はキルティング）は、ラリオハ地方の全域にわたって広く行き渡った縫製技術であり、異なる図案、モザイク、又は形状を作り出すために、着色した布切れを組み合わせることから成り、それらを用いて、キルト、絨毯、カーペット、又は、衣類品を含む他の物品が作製され、そこには創造性の場が存在する。
【０００５】
しかしながら、上記技術は、それが今まで開発されてきたように、作業時間を要することは別に、高い経済的投資と、投資された資源に加えて、かなりの数の究極の愛好家、及び結果としてその分野における将来の顧客を断念させ得るある程度の専門的知識及び初歩的な訓練とを必要とする面倒な方法を含んでいる。
【０００６】
具体的には、現行の方法は、かなりの経済的支払及び投入時間を必要とする工芸品を作製するための材料を得ることを目的とする第１のステップを備え、この時間は、実際に行われる作業としては考慮されない。これは、少なくとも、横幅が２５ｃｍの布地片（通常は８０ｃｍ又は１２０ｃｍ）の状態で販売されるいろいろなプリント柄のさまざまな布地を入手しなければならず、そのため、より小さいサイズを必要とするユーザも、少なくとも上記布地片を入手することを強制される。更に、いろいろな布地を購入することにより、無駄になる断片が生み出される。
【０００７】
また、作業を行なうためのガイドとしての役目を果たすパターンを取得することが必要である。これらのパターンは、図案を含む専門のカタログで取得することができ、また、これらのパターンはこの業種の店で単独で取得することができる。いずれにせよ、このことは、作製され得る様々なタイプのモザイク及び／又は形状に対する制限を意味する。
【０００８】
いったん必要な材料がそろえば、その後、工芸品自体の作製を行なうことができる。このステップでは、切断具及び縫製具（ハサミ、カッター、切断ボード、定規、チョーク等）が必要となる２つの別個の準備ステップ、すなわち、材料の準備及び作業の実施に区分される。
【０００９】
したがって、創作されるべき図案を知った後、行なわれなければならない最初のことは、図案を作り上げる布地片又は図柄のそれぞれを選択することであり、これらの布地片又は図柄は、通常は、何度も繰り返される１つ以上の形状であり、選択後、工芸品のために既に取得されたいろいろな布地の分配が決定される。選択された１又は複数の図柄に基づいて、図形を描き、パターンを用いてその輪郭を確認し、それぞれの選択された布地ごとに完全な図案を完成させ、このプロセスを必要とされる回数分だけ繰り返さなければならない。このプロセスは、図案の組み立てを構成する図柄の数に応じて、長くなりがちであり、非常に労力を要する。
【００１０】
形状の輪郭がいろいろな布地に描かれたら、次のステップは、所望の作業を実施するいろいろな模様を有するそれぞれの布地片を取得するべく布地を切断し始めることであり、この場合、縫い目線と布地の縁との間に十分な余白を残すように気を付けなければならない。
【００１１】
最後に、選択された図案に合致させるために、選択された形状の全ての布地片を全て一緒に縫い合わせなければならず、通常は、毛布、キルト、又は関係する品目を形成するための作業を仕上げる最後のステップが存在する。
【００１２】
この全てのプロセスは、当業者にとって、約３０×３０ｃｍの工芸品に対して、おおよそ３時間の作業を要し、知識に乏しい人にとっては約６時間の作業を要する。
【００１３】
明らかに、このタイプの作業を行なうための現在の方法は、大きな欠点を有する。すなわち、この方法は、準備ステップにおいて多くの時間を要し、経済的な投資が通常は高く、多量の廃棄物及び断片がもたらされ、このことは、投資のかなりの部分の損失を意味し、また、様々な図案は、製造業者により提供される市場での供給量に依存し、そのため、ユーザの創造性が制限される。
【００１４】
したがって、前述の欠点を避け、この種の手縫いによる縫製作業の精緻化を可能にする製品の存在が望ましい。上記製品の開発が本発明の主な目的である。
【００１５】
更に、現在の最新技術に関しては、出願人は少なくとも、手縫い縫製用のいかなる布地片の存在、又は、この発明が特許請求の範囲に記載するものと同じ又は類似する技術的特徴及び構造的特徴を有する同様の出願に関する発明については認識していないことに留意すべきである。
【発明の概要】
【発明が解決しようとする課題】
【００１６】
本発明が提案する手縫い縫製用の布地片及びこの布地片を用いて上記縫製を行う方法は、その適用分野において注目すべき新規性なものとして構成されている。即ち、それを使用することによって要望通りに前述した目的を十分に達成することができるからであり、それを際立たせる特徴的な詳細は、本明細書の終わりに記載された特許請求の範囲に十分に記録されている。
【００１７】
具体的には、本発明が提案するものは、手縫い縫製、特にパッチワーク縫製を行なうためのものであり、このタイプの縫製を行なうプロセスをかなり容易にするために好適に構造化される新規な布地片である。
【００１８】
そうするために、本発明の布地片は、下地の１片の織物から成り、異なる色、模様及び／又は質感のタイプを有し、特定のパッチワーク図案を形成するために必要な同じ形状又は異なる形状で、複数の図柄を、好ましくは印刷して組み込んでいる。これらの図柄のそれぞれは、それらの輪郭を画定する縫い目線によって印付けされ、縫い目に必要とされる余白を得るために、それらの切断線を明確に示す外周縁を備えている。
【００１９】
したがって、縫製作業を行う手順は、著しく削減される。なぜなら、外周切断縁の周囲に余白を残すために空間を計算するだけでなく、後で図柄を適切に嵌め合わせて最終的な図柄を形成することができるように、いろいろな布地を探して取得し、布地片を切断し、図柄のパターンを取得して異なる布地片のそれぞれでこの図柄の輪郭を正確且つ調整された方法でなぞることを回避することができる。本発明の方法では、図柄を切断して互いに縫い付けるだけで済む。
【００２０】
また、好ましい選択肢によれば、各図柄が本発明の布地片の外周上に有する前述の切断線は既にミシン目が設けられているので、縫い付け用のそれらの外周縁を有する図柄は、容易に破断するいくつかの点によって布地片に結合されるにすぎず、ユーザは、各図柄を切断するためにハサミを使用する必要はない。ハサミで、なぞられた線に沿って図柄を切断する作業が避けられるとともに、縫製作業の実施を、より面倒に又はより厄介にし得るほつれやハサミマーク表示が避けられる。同様に、この選択肢は、付加的な利点を含む。何故なら、ユーザが切断の間にミスをすることを防止し、余白を持つ切断線に沿って切断されずに、縫い付け線に沿って切断してしまい、対応する図柄をだめにすることを防止することができる。
【００２１】
本発明の特徴によれば、最終的にはメニューから（アラカルトで）選んで図柄を印刷できる可能性が想定され、それにより、ユーザ自身が、図案及び該図案を形成する異なる図柄並びに各図柄の異なる色及び模様を提案し、この提案は、好ましくは布地片製造業者自体が提供する、異なる選択肢及び組み合わせを伴うカタログで選択されるということは注目に値する。
【００２２】
好ましくは、各図柄の縫い目線には、レーザの適用によって経路全体に沿って凹部が設けられる。それにより、布地の厚さは、縫い目線においては布地の残りの部分の厚さに対して減少され、したがって、図案を形成するために各図柄を画定する縫い目線の折り曲げを容易にする。また、この凹部は、布地片を折り曲げて互いに縫い付ける際の図案形成時にこの折り曲げを更に容易にするために、印刷又は他の技術によって付けられた線の幅よりも大きい幅を有することができる。
【００２３】
また、図案を縫い付ける際に皺を引き起こす布の切れ残しを防ぐために、布地片は、切断線と縫い目線との間の外周縁の特定の経路に、特に曲線を有する図柄の湾曲部に、穿孔を有することが好ましい。好ましくは、この穿孔は、１つ以上の楔の形状を有する。
【００２４】
したがって、前述した布地片を用いて手縫いのパッチワーク縫製作業を実施するための方法のステップは、
−所望のデザインの図柄が既に印刷された布地片を取得するステップ、
−ハサミを用いて切り取るか、又は存在する場合には予め設けられたミシン目の線を引き裂くことによって、必要な余白を有する各図柄の境界となる印刷された切断線に沿って各図柄を分離するステップ、及び、
−図柄が切断された時点で、縫い目線に沿って各図柄間を縫い付け、最終的な図案を形成するステップ、
のみを備える。
【００２５】
また、状況に応じて、この方法は、布地片に印刷されるべき図案及び図柄を選択する、及び／又は発注する選考ステップを含んでもよい。
【００２６】
全体において、本発明は、ユーザがこの手工芸で積極的な役割を担っているため、多数の明確な利点を与える。ユーザは、完全に注文仕立ての自分達の好みに合った生産物を作製する可能性を有する。これは、図案を作り上げる異なる布地、及び図柄の模様又は色を注文で選択でき、ユーザの図案に合った模様を有する布地を探さずに済むからである。更に、それによって、開始材料を用意して取得するために必要な時間が著しく減り、ユーザは、手工芸の創造及び開発に、より多くの時間をかけることができる。
【００２７】
好ましくは印刷による布地では、任意のタイプの模様及び色を有する任意のパターンからの任意の図柄を組み入れることができ、それにより、限りのない数の図案を創作することができる。
【００２８】
したがって、手縫い縫製用の前述した布地片、及び、この布地片を用いて手縫い縫製を実施する方法は、その実用性と共に解釈すると、求められる独占排他権を得るための十分な根拠をもたらすことから、これまで知られていない革新的な特徴から成るものである。
【図面の簡単な説明】
【００２９】
この説明を補うものとして、また、本発明の特徴をより容易に理解できるようにするのために、本明細書には該明細書の不可欠な部分を構成する一組の図面が添付され、この一組の図面は、非限定的な例示として以下に示される。
【図１】は、本発明の目的である手縫い縫製用の布地片の典型的な実施形態の平面図を示し、布地片が備える部分及び要素を示している。
【図２】は、図１に示される布地片の例に係る、本発明の布地片から形成される手縫い縫製の平面図を示す。
【図３】本発明の布地片の一例の一部の断面図を示し、その観察を容易にするためにより大きなスケールで且つ誇張された比率を伴って表わされ、図柄の縫い目線の経路に沿う布地片の凹部を示している。
【図４】本発明に係る布地片の典型的な実施形態の一部の平面図を示し、布地片には図柄の切断線の湾曲した円弧部の一部の外周縁に穿孔が加えられている。
【発明を実施するための形態】
【００３０】
記載された図に照らせば、採用された符号にしたがって、本発明の布地片の非限定的な実施形態を見ることができ、この布地片は、以下で詳しく示されて説明される部分及び要素を備える。
【００３１】
したがって、上記の図に見られるように、対象の布地片１は、キルト、毛布、絨毯、カーペットなど、及び衣類品やアクセサリー品を含む全ての種類の物品のための手縫い縫製、特にパッチワーク又はキルティングの縫製を実施するためのものである。布地片１は、同一の又は異なる色、模様及び／又は質感のタイプを有し、同一の又は異なる形状を有する複数の図柄２を組み入れ、これらの図柄２は特定のパッチワーク図案３を形成するために必要とされる。この図柄２のそれぞれには、縫い目線４が明確に付けられ、この縫い目線４は、図柄の輪郭を画定する線と同じものであって、図案を作り上げるために図柄２が互いに縫い付けられる場所を示している。また、図柄２のそれぞれには、切断線５も明確に付けられ、この切断線５は、この輪郭の周囲の外周縁を画定するとともに、縫い目に必要な生地の余白を与えるように、図柄２を切断する場所を示す。
【００３２】
好ましくは、図柄２及び／又は縫い目線４及び／又は切断線５は、布に印刷又は刻印するための技術によって布地片１に設けられるが、刺繍法、塗装法又は他の方法、或いは、これらの混合方法などの他の技術も排除しない。
【００３３】
また、各図柄２の切断線５は、状況に応じて、それらの図柄が幾つかの破断容易点のみによって布地片１に結合されるようにミシン目が設けられ、それにより、布地片１から図柄を分離するためのハサミの使用が回避される。
【００３４】
また、好ましくは、各図柄２の輪郭を画定する縫い目線４は、その経路全体に沿って延びる凹部６を有する。この凹部６は、レーザの適用によって実施され、布地片１をなす生地の残りの部分の厚さに対して、縫い目線４における布地の厚さｇを減少させている。更に、縫い目線４における凹部６は、図１の例が示すように、印刷法又は他の技術によって付けられる縫い目線４の幅と同じ幅、或いは、縫い目線４の幅よりも大きい幅を有する。
【００３５】
最後に、また好ましくは、布地片１は、切断線５と縫い目線４との間にある外周縁に設けられる穿孔７を有する。穿孔は、特に図柄２の湾曲した円弧部に位置され、また、穿孔７は、１つ以上の楔の形状を成すことが好ましい。
【００３６】
図で示された例では、図２に示されるような幾つかの花びらと中心ボタンとから形成される花から成るパッチワーク図案３を仕上げるために、布地片１に、同一の輪郭で異なる模様を有する花びらの形状に印刷された図柄２と、ボタンの形状を成す円形の図柄２とがどのように設けられるかが示されている。これらの全ての図柄２は、縫い目線４によって画定されるとともに、図柄を互いに縫い付けるために外周縁を決定するミシン目が予め設けられた切断線５を有し、図１において明確に示されているように、全ての図柄は、切りくず残しを可能な限り避けるように布地片１に同じ空間を占めて配置される。
【００３７】
したがって、パッチワーク縫製を実行する方法は、以下のステップ、すなわち、
−パッチワーク図案３を形成する図柄２が設けられた布地片１を取得するステップと、
−各図柄２を切断線５に沿って切り取るステップであって、切断線５にミシン目が予め設けられることを考慮に入れると、切り取りがハサミを使用することなく引き裂きによって行なわれるステップと、
−全ての図柄２をそのそれぞれの縫い目線４に沿って互いに縫い付けて、ユーザが望む最終的な対象であるパッチワーク図案３を形成するステップと、
を含む。
【００３８】
状況に応じて、パッチワーク図案３をユーザが選択して、図柄２のそれぞれの色、模様及び／又は質感をアラカルトに選択することにより、上記図案を構成する図柄２を有する布地片１の作製を製造業者に発注する先行ステップが含まれる。
【００３９】
本発明の本質及び本発明を実施する方法について十分に説明してきたが、本発明の範囲及びそれから派生する利点を当業者が理解するように本発明の説明を広げることが必要であるとは考えられず、本発明の本質の範囲中で、例として示された実施形態とは細部において異なる他の実施形態で本発明を実施されてもよく、これらの他の実施形態も、それらの実施形態が本発明の基本的な原理を変化させ、変更し、又は修正しない限りは、求められる保護によって守られることを明記しておきたい。
【図１】
2018525540.tif 000003
【図２】
2018525540.tif 000004
【図３】
2018525540.tif 000005
【図４】
2018525540.tif 000006
【国際調査報告】
2018525540.tif 000007
2018525540.tif 000008
2018525540.tif 000009
2018525540.tif 000010
2018525540.tif 000011
2018525540.tif 000012
2018525540.tif 000013
2018525540.tif 000014